(57)【要約】      （修正有）【課題】簡単に希望する位置に電気機器の配置が可能となるパネルを提供する。【解決手段】パネルを構成する素材であるプレート１にプラグ５の一部であるプラグの導体突起部分９の挿入を受け入れるコンセント開口部形状と同形の穴２を形成する。Ａ面３側よりプラグ５を、Ｂ面４側よりコンセント６を、反対にＡ面３側よりコンセント６を、Ｂ面４側よりプラグ５を、コンセント開口部形状と同形の穴２を介し、脱着可能である。【選択図】図５
0003158527.tif 000002
【実用新案登録請求の範囲】
【請求項１】
プレート（１）にコンセント開口部形状と同形の穴（２）を形成したパネル
【請求項２】
Ａ面（３）側よりプラグ（５）を、Ｂ面（４）側よりコンセント（６）を、反対にＡ面（３）側よりコンセント（６）を、Ｂ面（４）側よりプラグ（５）を、コンセント開口部形状と同形の穴（２）を介し脱着可能な請求項１のパネル
【考案の詳細な説明】
【技術分野】
【０００１】本考案は、構築物に電気の供給口として固定配置されるコンセントを起点に、当該コンセントよりプラグを介し延長コードで延長されたコンセントと、電気機器自体に付属するプラグの中間に設置し、電気機器プラグの導体突起部分と延長されたコンセントが、本考案であるプラグの導体突起部分の受け口となるコンセント開口部形状と同形の穴をデザインとしたパネルの任意な穴の位置で両面より挟み込み、挟んだ状態を持続する方法に、プラグがコンセントに挿入し密着する本来の機能を利用する事で、穴のデザインが在れば広範囲で自由度の高い配線が可能な、プラグの導体突起部分の受け口となるコンセント開口部形状と同形の穴をデザインとしたパネル。
【背景技術】
【０００２】従来、配線の収納用として予め床面に配線ピットを設けたＯＡフロアや、一般家庭用としては配線ピットを設けず、床敷き本体に配線用の貫通溝を形成した床材が有る。然し、構築物の壁面とパネルの隙間部分、又は、間仕切りを構成するパネル部及びその中空部を配線用として利用する用材は無かった。今日、一般家庭に於ける電気機器の普及、取り分けコンピュータ及びＡＶ機器の普及は、付属機器やその一部を成すコード類をも増加させ、居住空間の活用性と美観の妨げと成っている。よって、安価な設備投資と簡単な作業で、コード及び付属機器を整理収納できる用材の開発が望まれている。
【考案の開示】
【考案が解決しようとする課題】
【０００３】事業として、新商品を、店頭で如何にレイアウトするかは、販売戦略として重要な問題であり、新商品の販売開始に相応しい新しいレイアウトが必要となる。この場合、ライティング用具を始めデモンストレーション用の電気機器が電源（コンセント）の位置に制約され、新商品に相応しいレイアウトが満足に出来ない不都合が発生する。又、大型の家電量販店でも折角の新製品の直ぐ裏側に電源コードやアダプターコードが絡まり合っている光景が確認できる。一方、一般家庭の場合、新しい電気機器を購入する度にコンセントの位置に拘束された模様替えとなり、適当な位置にコンセントの設置が無い部屋では延長コードが床を這い回る状況と成る。
【課題を解決するための手段】
【０００４】プレート（１）にコンセント開口部形状と同形の穴（２）を形成した請求項１のパネルで、Ａ面（３）側よりプラグ（５）を、Ｂ面（４）側よりコンセント（６）を、反対にＡ面（３）側よりコンセント（６）を、Ｂ面（４）側よりプラグ（５）を、コンセント開口部形状と同形の穴（２）を介し脱着可能な請求項１又は請求項２のパネルである。
尚、プレート（１）は、プラグがコンセントに挿入し密着する本質的機能を利用して任意な穴の位置で両面より挟み込まれた状態でコンセントとプラグの中間に位置しており、コンセントより供給される電気の通り道となるプラグの導体突起部分と直接接触する為、絶縁体である必要がある。
【考案の効果】
【０００５】配線の収納用として予め床面に配線ピット設けたＯＡフロアや、一般家庭用として配線ピットを設けず、床敷き本体に配線用の貫通溝を形成した床材は、どちらのユーザーにとっても初期投資は高額となる。ＯＡフロアについては機械騒音が増幅されたり、床下よりケーブルを立ち上げる際にタイルカーペットの開口部の変更が必要となり、作業量も既設電気機器の移動から始まり再設置までに多くの時間・労力を必要とする。
一般家庭用の床材に於いてもＯＡフロア同様に開口部の変更作業が発生し、開口部の位置によっては電気機器の配置場所にも妥協を強いられる。更に、一般家庭に於けるパソコンやＡＶ機器の普及に伴う外付電気機器の増加は、付属アダプターも増加させ、その収納に合理的な場所を見つけられない。
上記の問題点に対し、請求項１又は請求項２のパネルは構築物の壁面全体をコンセントに利用する事を可能とし、壁との隙間を配線類及び付属機器のピットとして利用することで、簡単に希望する位置に電気機器の配置が可能となる。更に、当該パネルを間仕切りの材料とし、パネルとパネルが構成する空間をピットとすることで、間仕切り直近のデスクより電気機器に付属したアダプター・配線類の一掃を可能とする。
【考案を実施するための最良の形態】
【０００６】本考案である、プラグの導体突起部分の受け口となるコンセント開口部形状と同形の穴をデザインとしたパネルを、壁面に利用する場合、延長コード配線類や電気機器に付属するアダプター類は壁面と当該パネルの隙間に隠れて設置される為、延長コード配線類を束ねた場合の容積及びアダプター類の容積を考慮する必要性が有り、容積が最大と成る物の収納が可能な隙間を確保した位置で、壁に取り付ける。この場合、隙間に隠れた桁、梁、補強材等の上部平面が延長コード配線類や電気機器に付属するアダプター類の収納棚を兼ねる為、棚の幅も桁、梁、補強材等の寸法で決定する。従来、コンセントの配置は目立たない壁面の右又は左の下隅を標準とするが、請求項１又は請求項２のプラグの導体突起部分の受け口となるコンセント開口部形状と同形の穴をデザインとしたパネルは、延長コンセントが届く範囲でパネルの表面全体をコンセントに変換可能であり、電気機器の配置場所に対応して自由に位置を決定出来る。一方、パネルの表面全体をコンセントに利用可能とする為の中継となる延長コンセントに、電気の供給を行う壁面側に固定されるコンセントは、その位置より延長コンセントを介し効率よく本考案のパネル全面をカバー出来る位置が望ましく、壁面の中央部分に合理性が有る。間仕切りとして、本考案であるプラグの導体突起部分の受け口となるコンセント開口部形状と同形の穴をデザインとしたパネルを利用する場合、当該パネルを両面より一定の隙間を設け対向して取り付ける事で、両面に挟まれて形成される空間部分を壁面での利用と同様に、延長コード配線類や電気機器に付属するアダプター類のピット用とする事が出来る。間仕切りへの給電は、請求項１又は請求項２のプラグの導体突起部分の受け口となるコンセント開口部形状と同形の穴をデザインとしたパネルを取り付けた天井又は床面より、間仕切りを構成する枠組又は柱を経由し、更に、両面より一定の隙間を設け対向して取り付けた事で形成された空間部分に有る延長コンセントを経由して、プラグの導体突起部分の受け口となるコンセント開口部形状と同形の穴をデザインとしたパネルへ到達する。
【図面の簡単な説明】
【０００７】
【図１】本考案パネルの正面図である。
【図２】図１の楕円部分拡大図である。
【図３】図２のコンセント開口部と同形の穴（２）を介し、前面であるパネルのＡ面（３）側よりプラグが、後面となるパネルのＢ面（４）側よりコンセントが結合した図。
【図４】図３のＩ−Ｉ’線断面図である。
【図５】図３のＩＩ−ＩＩ’線断面図である。
【符号の説明】
【０００８】１  プレート（絶縁素材）
２  コンセント開口部形状と同形の穴
３  パネルのＡ面
４  パネルのＢ面
５  プラグ
６  コンセント
７  プラグ用コード
８  コンセント用コード
９  プラグの導体突起部分
（参）符号の説明についてプレート（１）は、本考案であるプラグの導体突起部分の受け口となるコンセント開口部形状と同形の穴をデザインとしたパネルを構成する素材であり、当該素材であるプレートにコンセント開口部形状と同形の穴（２）を開けデザインされた全体をパネルと定義している。
【図１】
0003158527.tif 000003
【図２】
0003158527.tif 000004
【図３】
0003158527.tif 000005
【図４】
0003158527.tif 000006
【図５】
0003158527.tif 000007
【手続補正書】
【提出日】平成21年12月9日(2009.12.9)
【手続補正１】
【補正対象書類名】実用新案登録請求の範囲
【補正対象項目名】全文
【補正方法】変更
【補正の内容】
【実用新案登録請求の範囲】
【請求項１】
パネルを構成する素材であるプレート（１）にプラグ（５）の一部であるプラグの導体突起部分（９）の挿入を受け入れるコンセント開口部形状と同形の穴（２）を形成した事を特徴とするパネル。
【請求項２】
Ａ面（３）側よりプラグ（５）を、Ｂ面（４）側よりコンセント（６）を、反対にＡ面（３）側よりコンセント（６）を、Ｂ面（４）側よりプラグ（５）を、コンセント開口部形状と同形の穴（２）を介し、脱着可能な事を特徴とする請求項１記載のパネル。
【手続補正２】
【補正対象書類名】明細書
【補正対象項目名】０００８
【補正方法】変更
【補正の内容】
【符号の説明】
【０００８】
１  プレート（絶縁素材）
２  コンセント開口部形状と同形の穴
３  パネルのＡ面
４  パネルのＢ面
５  プラグ
６  コンセント
７  プラグ用コード
８  コンセント用コード
９  プラグの導体突起部分
（参）符号の説明についてプレート（１）は、プラグの導体突起部分の受け口となるコンセント開口部形状と同形の穴をデザインとしたパネルを構成する素材であり、当該素材であるプレートにコンセント開口部形状と同形の穴（２）を開けデザインされた全体をパネルと定義している。